(57)【要約】【課題】  ハウジングの溶着バリを逐一取り除く必要なくして、組み込み先の機構等に害を及ぼすことのないようにする。【解決手段】  一方のハウジング部品１１ａとこれに溶着（溶着部Ｙ11）により接合する他方のハウジング部品１１ｂとから成るハウジング１１の内部に、流体の圧力の変化に応動する接点機構１２を収納して構成するものにおいて、一方のハウジング部品１１ａ又は他方のハウジング部品１１ｂに相手ハウジング部品を囲繞する囲い壁２３を設け、この囲い壁２３より奥側の位置に溶着部Ｙ11を設定することにより、溶着バリが囲い壁２３の内側に発生し、囲い壁２３により囲われる。このため、それを逐一取り除かなくても、組み込み先の機構等に害を及ぼすことがなくなる。【選択図】  図１
2006318748.tif 000002
【特許請求の範囲】
【請求項１】
一方のハウジング部品とこれに溶着により接合する他方のハウジング部品とから成るハウジングの内部に、流体の圧力の変化に応動する接点機構を収納して構成するものにおいて、
前記一方のハウジング部品又は他方のハウジング部品に相手ハウジング部品を囲繞する囲い壁を設け、この囲い壁より奥側の位置でそれら一方のハウジング部品と他方のハウジング部品との前記溶着による接合をしたことを特徴とするバキュームスイッチ。
【発明の詳細な説明】
【技術分野】
【０００１】
本発明は、ハウジングを一方のハウジング部品と他方のハウジング部品との溶着による接合で構成するバキュームスイッチに関する。
【背景技術】
【０００２】
バキュームスイッチは、例えば自動車など車両に用いられており、特には車両の燃料供給路等に用いられていて、その燃料供給路に存在するフィルタが目詰まりすると、負圧が発生することにより、作動してフィルタの目詰まりを検出するようになっている。
図３はそのものの従来構造を示しており、ハウジング１の内部に、上記車両の燃料等の流体の圧力の変化に応動する接点機構２が収納されている。ハウジング１は、接点機構２の組み込みのため、一方のハウジング部品１ａと他方のハウジング部品１ｂとに分けて作製されており、接点機構２を組み込んだ後、一方のハウジング部品１ａに他方のハウジング部品１ｂを溶着部Ｙ1で示すように溶着、特には超音波溶着して密に接合されている。
【特許文献１】特開平８−２１２８８９号公報
【特許文献２】実開平５−６５０４２号公報
【発明の開示】
【発明が解決しようとする課題】
【０００３】
上記従来のものの場合、溶着部Ｙ1には、図４に示すように、溶着によるバリＶ1が発生する。このバリＶ1は、溶着部Ｙ1から外方に突出しており、バキュームスイッチを車両等に組み込む際に、それが組み込み先の機構等に擦られて取れ落ち、害を及ぼす可能性がある。このため、溶着後には、バリＶ1を逐一取り除く作業を行っており、それに手間がかかっていた。
【０００４】
本発明は上述の事情に鑑みてなされたものであり、従ってその目的は、ハウジングの溶着バリを逐一取り除く必要なくして、組み込み先の機構等に害を及ぼすことのないバキュームスイッチを提供するにある。
【課題を解決するための手段】
【０００５】
上記目的を達成するために、本発明のバキュームスイッチは、一方のハウジング部品とこれに溶着により接合する他方のハウジング部品とから成るハウジングの内部に、流体の圧力の変化に応動する接点機構を収納して構成するものにおいて、前記一方のハウジング部品又は他方のハウジング部品に相手ハウジング部品を囲繞する囲い壁を設け、この囲い壁より奥側の位置でそれら一方のハウジング部品と他方のハウジング部品との前記溶着による接合をしたことを特徴とする。
【発明の効果】
【０００６】
上記手段によれば、ハウジングの溶着バリは囲い壁の内側に発生し、囲い壁によって囲われる。このため、それを逐一取り除かなくても、組み込み先の機構等に害を及ぼすことがなく、かくして、ハウジングの溶着バリを取り除く作業を不要ならしめることができる。
【発明を実施するための最良の形態】
【０００７】
以下、本発明の一実施例（一実施形態）につき、図１及び図２を参照して説明する。
まず、図１には、バキュームスイッチの全体構造を示しており、ハウジング１１の内部に接点機構１２を収納している。
【０００８】
接点機構１２は、この場合、主として、下座板１３と、この下座板１３上に配置した圧縮コイルスプリング１４と、この圧縮コイルスプリング１４上に配置した可動コンタクト１５と、この可動コンタクト１５に下方で対向した固定コンタクト１６と、可動コンタクト１５上に配置したプッシャ１７と、プッシャ１７上に配置したダイヤフラム１８と、ダイヤフラム１８上に配置した受け座１９と、受け座１９上に配置した圧縮コイルスプリング２０と、圧縮コイルスプリング２０上に配置した上座板２１から成っている。
【０００９】
その構成で、常時は、圧縮コイルスプリング１４の弾発力に勝る圧縮コイルスプリング２０の弾発力で、可動コンタクト１５が固定コンタクト１６に接してオンしている。そして、ダイヤフラム１８の上方部分が負圧になると、圧縮コイルスプリング１４の弾発力により、可動コンタクト１５から圧縮コイルスプリング２０までが押されて、可動コンタクト１５が固定コンタクト１６から離間し、オフ作動するようになっている。
【００１０】
これに対して、ハウジング１１は、一方（図中下方）のハウジング部品１１ａと、他方（図中上方）のハウジング部品１１ｂから成っており、そのうちの他方のハウジング部品１１ｂの上部に連通口２２を形成し、この連通口２２からハウジング１１内に流体が流入して、その圧力を上記接点機構１２のダイヤフラム１８に及ぼすようにしている。
【００１１】
そして又、一方のハウジング部品１１ａの上方（他方のハウジング部品１１ｂ側）の開口縁部には、囲い壁２３を形成し、この囲い壁２３によって、他方のハウジング部品１１ｂの下方（一方のハウジング部品１１ａ側）の開口縁部からその近傍までの全周を、他方のハウジング部品１１ｂから離間して囲うようにしている。なお、囲い壁２３は他方のハウジング部品１１ｂに接触はせず、わずかな隙間を隔てて離間している。
【００１２】
Ｙ11は、一方のハウジング部品１１ａと他方のハウジング部品１１ｂとを溶着、特には超音波溶着したことによる溶着部を示しており、この溶着部Ｙ11は、上記囲い壁２３より奥側（図中下方）の位置に存して、ハウジング部品１１ａと他方のハウジング部品１１ｂとの密な接合に供している。
【００１３】
このように本構成のものでは、一方のハウジング部品１１ａに相手ハウジング部品である他方のハウジング部品１１ｂを囲繞する囲い壁２３を設け、この囲い壁２３より奥側の位置でそれら一方のハウジング部品１１ａと他方のハウジング部品１１ｂとの溶着による接合をしている。
【００１４】
この結果、図２に示すように、ハウジング１１の溶着バリＶ11は囲い２３壁の内側に発生し、囲い壁２３によって囲われる。このため、それを逐一取り除かなくても、組み込み先の機構等に擦られて取れ落ちるということがなく、その組み込み先の機構等に害を及ぼすことがなくなる。かくして、ハウジング１１の溶着バリＶ11を取り除く作業を不要ならしめる得るものであり、その手間を省くことができる。
【００１５】
なお、囲い壁２３は、他方のハウジング部品１１ｂに一方のハウジング部品１１ａを囲繞するように形成し、この他方のハウジング部品１１ｂに形成した囲い壁２３より奥側の位置でそれら一方のハウジング部品１１ａと他方のハウジング部品１１ｂとの溶着による接合をするようにしても良い。
【００１６】
又、一方のハウジング部品１１ａと他方のハウジング部品１１ｂとの溶着は、超音波溶着に限られず、加熱溶着や摩擦溶着など、他の溶着方法を採るようにしても良い。
更に、バキュームスイッチ自体、自動車など車両以外に適用するものであっても良いし、作動対象の流体も液体に限られず、気体であっても良い。
そのほか、本発明は上記し且つ図面に示した実施例にのみ限定されるものではなく、要旨を逸脱しない範囲内で適宜変更して実施し得る。
【図面の簡単な説明】
【００１７】
【図１】本発明の一実施例を示す全体の縦断面図
【図２】図１のＡ部分の拡大図
【図３】従来例を示す図１相当図
【図４】図３のＢ部分の拡大図
【符号の説明】
【００１８】
図面中、１１はハウジング、１１ａは一方のハウジング部品、１１ｂは他方のハウジング部品、１２は接点機構、２３は囲い壁、Ｙ11は溶着部を示す。
【図１】
2006318748.tif 000003
【図２】
2006318748.tif 000004
【図３】
2006318748.tif 000005
【図４】
2006318748.tif 000006